(57)【要約】【課題】バージョンの異なるカートリッジが混在して装着されていても適切な画像形成条件を設定できる画像形成装置を提供することを目的とする。【解決手段】画像形成装置は、前記画像形成装置から着脱可能であり、それぞれが画像を形成するための部材と記憶手段と、を有する複数のカートリッジを使用して画像を形成する形成手段と、画像を形成する際の画像形成条件を設定する設定手段と、を備えており、前記複数のカートリッジのうちの少なくとも２つのカートリッジの前記記憶手段は、対応するカートリッジのバージョンを示す識別情報を格納し、前記設定手段は、前記少なくとも２つのカートリッジのバージョンの組み合わせに基づき前記画像形成条件を設定する。【選択図】図３
2018205697.tif 000002
【特許請求の範囲】
【請求項１】
画像形成装置であって、
前記画像形成装置から着脱可能であり、それぞれが画像を形成するための部材と記憶手段と、を有する複数のカートリッジを使用して画像を形成する形成手段と、
画像を形成する際の画像形成条件を設定する設定手段と、
を備えており、
前記複数のカートリッジのうちの少なくとも２つのカートリッジの前記記憶手段は、対応するカートリッジのバージョンを示す識別情報を格納し、
前記設定手段は、前記少なくとも２つのカートリッジのバージョンの組み合わせに基づき前記画像形成条件を設定することを特徴とする画像形成装置。
【請求項２】
前記少なくとも２つのカートリッジのうちの初期バージョンとは異なるバージョンのカートリッジの記憶手段は、前記画像形成条件の補正情報を格納しており、
前記設定手段は、前記少なくとも２つのカートリッジのうちの少なくとも１つのカートリッジのバージョンが前記初期バージョンとは異なると、前記少なくとも２つのカートリッジのうちの前記初期バージョンとは異なるバージョンのカートリッジの記憶手段に格納された前記補正情報に基づき前記画像形成条件を設定することを特徴とする請求項１に記載の画像形成装置。
【請求項３】
前記補正情報は、前記バージョンの組み合わせと前記画像形成条件の補正値との関係を示す情報を含むことを特徴とする請求項２に記載の画像形成装置。
【請求項４】
前記バージョンの組み合わせと前記画像形成条件の補正値との関係を示す情報は、前記画像形成条件の補正基準値と、前記バージョンの組み合わせそれぞれについて、前記補正基準値に対する補正値の割合を示す値又は前記補正基準値に対する補正値を示す値と、を含む情報であることを特徴とする請求項３に記載の画像形成装置。
【請求項５】
前記設定手段は、前記少なくとも２つのカートリッジに前記初期バージョンとは異なるバージョンのものが複数あると、前記少なくとも２つのカートリッジのうちの最も新しいバージョンのカートリッジの記憶手段に格納されている前記補正情報に基づき前記画像形成条件を設定することを特徴とする請求項２から４のいずれか１項に記載の画像形成装置。
【請求項６】
前記初期バージョンとは異なるバージョンのカートリッジの記憶手段は、前記バージョンの組み合わせのうち、当該カートリッジのバージョンを含む組み合わせに関する補正情報を格納していることを特徴とする請求項２から５のいずれか１項に記載の画像形成装置。
【請求項７】
前記少なくとも２つのカートリッジは、初期バージョンとは異なるバージョンのときに記憶手段に補正情報が格納される第１カートリッジと、バージョンに拘らず記憶手段に前記補正情報が格納されない第２カートリッジを含み、
前記設定手段は、前記少なくとも２つのカートリッジのうちの前記第１カートリッジが前記初期バージョンとは異なると、前記第１カートリッジの記憶手段に格納された前記補正情報に基づき前記画像形成条件を設定することを特徴とする請求項１に記載の画像形成装置。
【請求項８】
前記第１カートリッジは、ブラックの画像を形成するためのカートリッジであることを特徴とする請求項７に記載の画像形成装置。
【請求項９】
前記補正情報は、前記画像形成条件の補正値と、当該補正値を適用する前記バージョンの組み合わせとの関係を示す情報を含むことを特徴とする請求項７又は８に記載の画像形成装置。
【請求項１０】
前記少なくとも２つのカートリッジは、前記複数のカートリッジの総てであり、前記画像形成条件は、シートに画像を転写する際の転写条件、又は、前記シートに転写された画像を前記シートに定着させる際の定着条件を含むことを特徴とする請求項１から９のいずれか１項に記載の画像形成装置。
【請求項１１】
前記形成手段は、前記複数のカートリッジそれぞれに含まれる感光体に異なる色の画像を形成し、前記複数のカートリッジそれぞれに含まれる感光体に形成された画像を転写体に転写し、前記転写体に転写された画像をシートに転写して定着させることで前記シートに画像を形成し、
前記画像形成条件は、前記少なくとも２つのカートリッジを使用して異なる２つの色の画像を前記感光体に形成する際、或いは、前記少なくとも２つのカートリッジの前記感光体に形成された異なる２つの色の画像を前記転写体に転写する際の条件であることを特徴とする請求項１から９のいずれか１項に記載の画像形成装置。
【請求項１２】
前記識別情報は、対応するカートリッジに含まれる部材の材質のバージョンを示すことを特徴とする請求項１から１１のいずれか１項に記載の画像形成装置。
【請求項１３】
前記識別情報は、対応するカートリッジに含まれるトナーの材質のバージョンを示すことを特徴とする請求項１から１２のいずれか１項に記載の画像形成装置。
【請求項１４】
画像形成装置から着脱可能なカートリッジであって、
前記画像形成装置に装着される少なくとも２つのカートリッジのバージョンの組み合わせに基づき、前記画像形成装置が画像形成条件を設定できるように、前記カートリッジのバージョンを示す識別情報を格納する記憶手段を備えていることを特徴とするカートリッジ。
【請求項１５】
前記記憶手段は、さらに、前記少なくとも２つのカートリッジのバージョンの組み合わせと、前記画像形成条件の補正値との関係を示す補正情報を格納していることを特徴とする請求項１４に記載のカートリッジ。
【請求項１６】
前記補正情報は、前記カートリッジのバージョンを含む組み合わせと、前記画像形成条件の補正値との関係を示すことを特徴とする請求項１５に記載のカートリッジ。
【請求項１７】
前記バージョンの組み合わせと前記画像形成条件の補正値との関係を示す情報は、前記画像形成条件の補正基準値と、前記バージョンの組み合わせそれぞれについて、前記補正基準値に対する補正値の割合を示す値又は前記補正基準値に対する補正値を示す値と、を含む情報であることを特徴とする請求項１５に記載のカートリッジ。
【請求項１８】
前記補正情報は、前記画像形成条件の補正値と、当該補正値を適用する前記少なくとも２つのカートリッジのバージョンの組み合わせとの関係を示す情報であることを特徴とする請求項１５に記載のカートリッジ。
【請求項１９】
前記カートリッジは、感光体と、前記感光体を帯電させる帯電手段と、帯電された前記感光体を露光することで前記感光体に形成された静電潜像をトナーで現像して前記感光体にトナー像を形成する現像手段と、を備えていることを特徴とする請求項１４から１８のいずれか１項に記載のカートリッジ。
【請求項２０】
前記画像形成条件は、帯電条件、露光条件、現像条件、一次転写条件、二次転写条件及び定着条件のいずれかを含むことを特徴とする請求項１４から１９のいずれか１項に記載のカートリッジ。
【発明の詳細な説明】
【技術分野】
【０００１】
本発明は、電子写真方式や静電記録方式等により画像形成を行う画像形成装置に関し、特に、着脱可能なカートリッジを装着して画像形成を行う画像形成装置に関する。
【背景技術】
【０００２】
画像形成装置は、消耗品であり、本体から着脱可能なカートリッジを装着して画像形成を行う。ここで、カートリッジに含まれる部材の材質等が、初期に使用されていたものから変更されることがあり得る。カートリッジに含まれる部材の材質が変更されると、画像形成条件をそれに応じて変更しなければならない場合もある。特許文献１は、カートリッジに記憶デバイスを設け、記憶デバイスに格納されている情報に基づき適切な画像形成条件で画像を形成する構成を開示している。
【先行技術文献】
【特許文献】
【０００３】
【特許文献１】特開２００７−２４０９２８号公報
【発明の概要】
【発明が解決しようとする課題】
【０００４】
しかしながら、複数のカートリッジを有する画像形成装置においては、部材の材質が変更されたカートリッジと、変更されていないカートリッジ、つまり、バージョンの異なるカートリッジが混在して装着される場合があり得る。このような場合、部材の材質が変更されているカートリッジの記憶デバイスに格納されている情報に基づき画像形成条件を設定すると、適切に画像を形成できなくなり得る。
【０００５】
本発明は、バージョンの異なるカートリッジが混在して装着されていても適切な画像形成条件を設定できる画像形成装置を提供するものである。
【課題を解決するための手段】
【０００６】
本発明の一態様によると、画像形成装置は、前記画像形成装置から着脱可能であり、それぞれが画像を形成するための部材と記憶手段と、を有する複数のカートリッジを使用して画像を形成する形成手段と、画像を形成する際の画像形成条件を設定する設定手段と、を備えており、前記複数のカートリッジのうちの少なくとも２つのカートリッジの前記記憶手段は、対応するカートリッジのバージョンを示す識別情報を格納し、前記設定手段は、前記少なくとも２つのカートリッジのバージョンの組み合わせに基づき前記画像形成条件を設定することを特徴とする。
【発明の効果】
【０００７】
本発明によると、バージョンの異なるカートリッジが混在して装着されていても適切な画像形成条件を設定することができる。
【図面の簡単な説明】
【０００８】
【図１】一実施形態による画像形成装置の構成図。
【図２】一実施形態による画像形成装置の制御構成図。
【図３】一実施形態による記憶デバイスに格納されている情報を示す図。
【図４】一実施形態による画像形成条件の補正処理のフローチャート。
【図５】一実施形態による記憶デバイスに格納されている情報を示す図。
【図６】一実施形態による画像形成条件の補正処理のフローチャート。
【図７】一実施形態による記憶デバイスに格納されている情報を示す図。
【図８】一実施形態による画像形成条件の補正処理のフローチャート。
【図９】一実施形態による画像形成装置の制御構成図。
【図１０】一実施形態による記憶デバイスに格納されている情報を示す図。
【図１１】一実施形態による画像形成装置の構成図。
【図１２】一実施形態による記憶デバイスに格納されている情報を示す図。
【発明を実施するための形態】
【０００９】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１０】
＜第一実施形態＞
図１は、本実施形態による画像形成装置の構成図である。図１において、参照符号の末尾の文字ａ、ｂ、ｃ及びｄは、それぞれ、対応する部材が形成に係るトナーの色が、イエロー、マゼンタ、シアン、ブラックであることを示している。しかしながら、色を区別する必要が無い場合には、末尾の文字を省略した参照符号を使用する。感光体１は、像担持体であり、画像形成時、図中の矢印の方向に回転駆動される。帯電ローラ２は、帯電バイアスを出力して回転駆動される感光体１の表面を一様な電位に帯電させる。露光部１１は、帯電された感光体１を光で走査・露光し、感光体１に静電潜像を形成する。現像部８は、トナーを有し、現像バイアスを出力することで感光体１の静電潜像にトナーを付着させて、感光体１にトナー像を形成する。一次転写ローラ８１は、一次転写バイアスを出力して感光体１のトナー像を、転写体である中間転写ベルト８０に転写する。クリーニング部３は、中間転写ベルト８０に転写されず、感光体１に残留したトナーを回収する。感光体１、帯電ローラ２、現像部８及びクリーニング部３は、画像形成装置の本体から着脱可能な一体型のカートリッジ９として構成されている。また、カートリッジ９は、さらに、記憶デバイス６を有する。
【００１１】
中間転写ベルト８０は、二次転写対向ローラ８６、駆動ローラ１４、テンションローラ１５により張架・支持され、画像形成時、駆動ローラ１４の回転に従属して回転駆動される。カセット１６のシート又は給紙口３０から挿入されたシートは、搬送路に沿って設けられた複数のローラにより二次転写ローラ８２及び二次転写対向ローラ８６とのニップ領域に向けて搬送される。二次転写ローラ８２は、二次転写バイアスを出力することで、中間転写ベルト８０のトナー像をシートに転写する。トナー像が転写されたシートは、定着部１９に搬送される。定着部１９は、シートを加熱・加圧してトナー像をシートに定着させる。トナー像の定着後、シートは、画像形成装置の外部に排出される。
【００１２】
図２は、本実施形態による画像形成装置の制御構成図である。コントローラ１０１は、外部のホストコンピュータ１００と通信し、ホストコンピュータ１００から画像形成に関する指示等を受信すると、エンジン制御部１０２を制御して画像形成を行う。エンジン制御部１０２のＣＰＵ１０４は、エンジン制御部１０２の他の機能ブロックを制御する。ここで、カートリッジ制御部１０５は、各カートリッジ９の各部材を制御し、二次転写制御部１１３は、二次転写ローラ８２による二次転写処理を制御し、定着制御部１１４は、定着部１９による定着処理を制御する。補正判定部１２０は、各カートリッジ９の記憶デバイス６に格納されている情報から画像形成条件の補正の要否を判定し、補正が必要な場合は補正値を算出する。以下では、記憶デバイス６に格納されている情報に基づき補正の要否を判定する画像形成条件が、二次転写バイアス（二次転写条件）と、定着部１９の定着温度（定着条件）であるものとして実施形態の説明を行う。なお、補正判定部１２０の機能は、ＣＰＵ１０４が実行する構成であっても良い。
【００１３】
図３は、本実施形態において、記憶デバイス６に記録されている情報の説明図である。識別情報は、トナーの材質が変更されているか否かを示す情報である。本実施形態では、識別情報が０であることは、トナーの材質が初期のものから変更されていなことを示し、識別情報が１であることは、トナーの材質が初期のものから変更されていることを示すものとする。識別情報が１であると、記憶デバイス６の所定領域には、補正情報が格納される。本実施形態では、制御対象の画像形成条件が二次転写バイアス及び定着温度であるため、補正情報として、二次転写補正値と、定着補正値がそれぞれ格納される。ここで、本実施形態では４つのカートリッジ９ａ〜９ｄを装着して画像形成を行うため、各記憶デバイス６に格納されている識別情報の値の組み合わせは１６通りとなる。このうち、総ての記憶デバイス６の識別情報が０である組み合わせにおいては画像形成条件の補正の必要はないため、二次転写補正値と、定着補正値には、それぞれ、１５個の補正値が設定される。
【００１４】
なお、以下の説明において、４つの記憶デバイス６ａ〜６ｄに格納されている識別情報の値の組み合わせを、記憶デバイス６ａ、６ｂ、６ｃ、６ｄの順で、識別情報の値を並べた組み合わせ値で表現する。例えば、記憶デバイス６ａ、６ｂ及び６ｃの識別情報が１であり、記憶デバイス６ｄの識別情報が０であると、組み合わせ値は"１１１０"である。
【００１５】
二次定着補正値に関し、図３の参照符号３０１は、組み合わせ値が"０００１"のときに適用する補正値であり、参照符号３０２は、組み合わせ値が"００１０"のときに適用する補正値である。また、参照符号３１４は、組み合わせ値が"１１１０"のときに適用する補正値であり、参照符号３１５は、組み合わせ値が"１１１１"のときに適用する補正値である。定着補正値に関しても同様であり、図３の参照符号３１６は、組み合わせ値が"０００１"のときに適用する補正値であり、参照符号３１７は、組み合わせ値が"００１０"のときに適用する補正値である。また、参照符号３２９は、組み合わせ値が"１１１０"のときに適用する補正値であり、参照符号３３０は、組み合わせ値が"１１１１"のときに適用する補正値である。
【００１６】
例えば、記憶デバイス６ａ、６ｂ及び６ｃの識別情報が１であり、記憶デバイス６ｄの識別情報が０であると、組み合わせ値は、"１１１０"になる。この場合、補正判定部１２０は、二次転写バイアスを基準値から１８Ｖだけ増加させることを二次転写制御部１１３に通知し、定着温度を基準値から９度だけ低くすることを定着制御部１１４に通知する。なお、二次転写バイアスの基準値や、定着温度の基準値は、例えば、予め画像形成装置に設定されている。或いは、二次転写バイアスの基準値や、定着温度の基準値は、予め画像形成装置に設定されたパラメータに基づき、画像形成装置が、そのときの環境状態等に基づき計算により求める。
【００１７】
図４は、本実施形態による画像形成条件の補正処理のフローチャートである。Ｓ１０で、補正判定部１２０は、各記憶デバイス６から識別情報を読み出し、Ｓ１１で、識別情報として１が設定されている記憶デバイス６があるかを判定する。総ての識別情報が０であると、画像形成条件の補正は必要ではないため、補正判定部１２０は、処理を終了する。一方、Ｓ１１で、識別情報として１が設定されている記憶デバイス６が存在すると、補正判定部１２０は、識別情報として１が設定されている記憶デバイス６から補正情報を読み出す。そして、補正判定部１２０は、Ｓ１３において、図３を用いて説明した様に、識別情報の組み合わせから画像形成条件の補正値を判定する。そして、Ｓ１４で、補正判定部１２０は、判定した画像形成条件の補正値に基づき画像形成条件を更新する。
【００１８】
以上の構成により、材質の変更が行われたカートリッジと材質の変更が行われていないカートリッジが混在して装着されている場合においても、適切な画像形成条件を設定することができる。
【００１９】
＜第二実施形態＞
続いて、第二実施形態について第一実施形態との相違点を中心に説明する。第一実施形態では、識別情報が０であることは、対応するカートリッジ９の部材の材質が変更されていないこと（初期の材質であること）を示し、識別情報が１であることは、材質が変更されていることを示していた。しかしながら、材質が初期の材質から２回以上変更される場合もあり得る。この場合、識別情報を、"０"又は"１"の２値情報とするのではなく、カートリッジ９の部材の材質のバージョンを示すバージョン情報とすれば良い。つまり、初期の材質を使用しているカートリッジ９を初期バージョン"０"として、材質が変更される度に、識別情報の値を１ずつ増加させることで、識別情報により複数回の材質変更を表現することができる。しかしながら、この場合、識別情報の値の組み合わせ数が多くなり、記憶デバイス６に格納しなければならない補正値の数も多くなる。例えば、識別情報として０、１、２の３つが混在する場合、１つの画像形成条件に対して３４−１＝８０の補正値を設定する必要がある。本実施形態は、２回目以降の材質変更にも対応し、かつ、記憶デバイス６に格納する補正情報のデータ量の増加を抑えるものである。
【００２０】
図５（Ａ）及び図５（Ｂ）は、本実施形態において、記憶デバイス６に記録されている情報の説明図である。図５（Ａ）は、トナーの材質を初めて変更したときの記憶デバイス６に記録されている情報を示し、初めての変更であるため識別情報には１が設定されている。また、本実施形態の補正情報は、補正基準値と補正レベルとで構成される。なお、本実施形態でも制御対象の画像形成条件は、二次転写バイアスと定着温度であるため、２つの補正基準値、つまり、二次転写補正基準値と定着補正基準値がそれぞれ記憶デバイス６に格納される。同様に、補正レベルも、二次転写補正レベルと定着補正レベルの２つが記憶デバイス６に格納される。ここで、補正レベルとは、補正値の補正基準値に対する割合を示す情報であり、本例では、１つの補正レベルを２ビットで表現する。つまり、補正レベルとして０〜３を使用する。ここで、本例では、補正レベルが０、１、２、３とは、それぞれ、補正値の補正基準値に対する割合が０％、３３％、６７％、１００％であるものとする。
【００２１】
第一実施形態で説明した様に、初めての変更である場合、補正が必要な識別情報の組み合わせは１５通りであるため、各画像形成条件に対して１５個の補正レベルが設定される。二次転写バイアスに関し、図５（Ａ）の参照符号５０２は、識別情報の組み合わせ値が"０００１"であるときの補正レベルであり、参照符号５０３は、組み合わせ値が"００１０"であるときの補正レベルである。また、参照符号５１６は、組み合わせ値が"１１１１"であるときの補正レベルである。例えば、装着されているカートリッジ９から読み出した識別情報の組み合わせ値が"０００１"であると、補正レベルが１、つまり、３３％であるため、二次転写補正基準値として設定されている＋１０Ｖの３３％である＋３．３Ｖが二次転写バイアスの補正値になる。定着条件についても同様である。
【００２２】
図５（Ｂ）は、２回目の材質の変更が行われたトナーを有するカートリッジ９の記憶デバイス６に記録されている情報を示している。２回目の変更であるため、識別情報には２が設定されている。識別情報の組み合わせ数は３４＝８１であるが、このうち、識別情報として２を１つでも含む組み合わせ数は６１である。したがって、図５（Ｂ）に示す識別情報が２の場合、各画像形成条件について、６１個の補正レベルが格納される。図５（Ｂ）において、参照符号５２２、５２３及び５２４は、識別情報の組み合わせ値がそれぞれ、"０００２"、"００１２"、"００２０"のときの二次転写バイアスの補正レベルを示している。また、図５（Ｂ）において、参照符号５３０は、識別情報の組み合わせ値が"０１２２"のときの二次転写バイアスの補正レベルを示している。さらに、参照符号５８２は、識別情報の組み合わせ値が"２２２２"ときの二次転写バイアスの補正レベルを示している。さらに、参照符号６３０は、識別情報の組み合わせ値が"０１２２"のときの定着温度の補正レベルを示している。
【００２３】
例えば、装着されているカートリッジ９の記憶デバイス６から読み出した識別情報の組み合わせ値が"０１２２"であるものとする。この場合、参照符号５３０で示す様に、二次転写バイアスの補正レベルが２（６７％）であるため、補正値は、二次転写補正基準値である＋２０Ｖの６７％、つまり、＋１３.４Ｖとなる。同様に、参照符号６３０で示す様に、定着温度の補正レベルは１（３３％）であるため、補正値は、定着温度基準値である−２０度の３３％、つまり、−６.７度になる。
【００２４】
図６は、本実施形態による画像形成条件の補正処理のフローチャートである。Ｓ２０で、補正判定部１２０は、各記憶デバイス６から識別情報を読み出し、Ｓ２１で、識別情報として２が設定されている記憶デバイス６が存在するかを判定する。識別情報として２が設定されている記憶デバイス６が存在すると、補正判定部１２０は、Ｓ２２で、識別情報として２が設定されている記憶デバイス６から補正情報を読み出す。そして、補正判定部１２０は、Ｓ２３において、図５（Ｂ）を用いて説明した様に、読み出した補正情報と識別情報の組み合わせに基づき画像形成条件の補正値を判定する。そして、Ｓ２４で、補正判定部１２０は、判定した画像形成条件の補正値に基づき画像形成条件を更新する。
【００２５】
一方、Ｓ２１で、識別情報として２が設定されている記憶デバイス６が無いと、補正判定部１２０は、Ｓ２５で、識別情報として１が設定されている記憶デバイス６が存在するかを判定する。識別情報として１が設定されている記憶デバイス６が存在すると、補正判定部１２０は、Ｓ２６で、識別情報として１が設定されている記憶デバイス６から補正情報を読み出す。その後、Ｓ２３で、読み出した補正情報と識別情報の組み合わせに基づき画像形成条件の補正値を判定し、Ｓ２４で設定する。なお、Ｓ２５で、識別情報として１が設定されている記憶デバイス６が無いと、画像形成条件の補正は必要ではないため、補正判定部１２０は、処理を終了する。
【００２６】
なお、図６のフローチャートは、識別情報の最大値が２であるときのものであるが、識別情報の最大値が３以上である場合も同様である。具体的には、補正判定部１２０は、装着されているカートリッジ９の各記憶デバイス６から識別情報を読み出す。そして、識別情報の最大値を判定し、判定した最大値の識別情報を格納している記憶デバイス６から補正情報を読み出して、組み合わせ値と読み出した補正情報に基づき補正値を判定する。
【００２７】
以上の構成により、材質の変更が２回以上行われる場合であっても、適切な画像形成条件の設定が可能になる。また、補正値ではなく、補正基準値に対する割合で補正値を示すことで、補正情報のデータ量を少なくすることができる。さらに、識別情報の総ての組み合わせではなく、識別情報として設定されている値を含む組み合わせの補正レベルのみを格納することで、補正情報のデータ量を少なくすることができる。なお、図５（Ａ）及び図５（Ｂ）の補正レベルが０、１、２、３に対し、補正値の補正基準値に対する割合が０％、３３％、６７％、１００％である場合を説明してきた。しかしながら、補正レベルに割り当てる補正値として割合に限定されない。例えば、二次転写補正の場合、補正レベル０、１、２及び３に、二次転写補正基準値に対し追加する+０Ｖ、+６Ｖ、+１２Ｖ、+２０Ｖを割り当て、補正判定部１２０が画像形成条件としての二次転写バイアスを補正しても良い。また定着温度（バイアス）補正の場合、補正レベル０、１、２及び３に、定着補正基準値に対し現在する−０℃、−３℃、−６℃Ｖ、−１０℃を割り当て、補正判定部１２０が定着温度を補正しても良い。このように補正レベル０、１、２、３を、補正値の割合を示す値ではなく、補正値を示す値としてもよい。この場合、補正判定部１２０が、補正レベルを読み込むと、補正レベルの値に対応して予め設定された補正値を、補正判定部１２０は読み込み、補正に使用する。
【００２８】
＜第三実施形態＞
続いて、第三実施形態について、第一実施形態との相違点を中心に説明する。第一実施形態では、材質が変更されたカートリッジ９の記憶デバイス６には、一律に補正情報を格納していた。例えば、イエローのカートリッジ９ａとブラックのカートリッジ９ｄの材質が変更されると、記憶デバイス６ａ及び６ｄには同じ補正情報が格納されていた。本実施形態では、トナー材質の変更に対する二次転写バイアスと定着温度の影響が最も大きいブラックのカートリッジ９ｄの記憶デバイス６ｄのみに補正情報を記録することでメモリ容量を節約する。
【００２９】
図７（Ａ）及び図７（Ｂ）は、本実施形態において、記憶デバイス６に記録されている情報の説明図である。図７（Ａ）は、トナー材質を変更したイエロー、シアン、マゼンタのカートリッジ９ａ〜９ｃの記憶デバイス６ａ〜６ｃに格納される情報である。トナー材質の変更により、識別情報として１が設定されているが、補正情報は格納されない。図７（Ｂ）は、トナー材質を変更したブラックのカートリッジ９ｄの記憶デバイス６ｄに格納される情報である。トナー材質の変更により、識別情報として１が設定され、さらに、補正情報が格納される。本実施形態の補正情報は、制御対象の各画像形成条件について、補正値と補正マスク値とを含んでいる。本実施形態でも制御対象の画像形成条件は、二次転写バイアスと定着温度であるため、補正値として二次転写補正値と、定着補正値が格納される。また、補正マスク値として、定着補正マスク値と二次転写補正マスク値が格納される。
【００３０】
補正マスク値は、どの識別情報の組み合わせに対して補正値を適用するかを示す情報である。本例において、各補正マスク値は４ビットの値であり、識別情報の組み合わせ値と論理積演算を行い、結果が補正マスク値と等しければ補正が必要であると判定し、結果が補正マスク値と等しくなければ補正が不要であると判定する。
【００３１】
具体的には、図７（Ｂ）においては、参照符号７０１で示す二次転写補正マスク値は総て１であるため、装着されているカートリッジ９の記憶デバイス６から読み出した識別情報の組み合わせ値が"１１１１"であるときのみ補正が必要と判定される。なお、二次転写補正値が＋１０Ｖであるため、補正を実行する場合には二次転写バイアスを１０Ｖだけ高くする。一方、参照符号７０２で示す定着補正マスク値は"０００１"であるため、少なくともブラックのカートリッジ９ｄの記憶デバイス６ｄの識別情報が１であると、他のカートリッジ９の記憶デバイス６の識別情報の値に拘らず、補正が必要と判定される。なお、定着補正値が−１０度であるため、補正を実行する場合には定着温度を１０度だけ低くする。
【００３２】
図８は、本実施形態による画像形成条件の補正処理のフローチャートである。Ｓ３０で、補正判定部１２０は、各記憶デバイス６から識別情報を読み出し、Ｓ３１で、ブラックのカートリッジ９ｄの記憶デバイス６ｄから読み出した識別情報が１であるかを判定する。Ｓ３１で識別情報が１ではないと、補正が不要であるため、補正判定部１２０は処理を終了する。一方、Ｓ３１で識別情報が１であると、補正判定部１２０は、Ｓ３２で、記憶デバイス６ｄから補正情報を読み出し、Ｓ３３及びＳ３４で、図７を用いて説明した様に、読み出した補正情報の補正マスク値と識別情報の組み合わせ値に基づき補正の要否を判定する。補正が不要であると、補正判定部１２０は処理を終了する。一方、補正が必要であると、補正判定部１２０は、Ｓ３５で補正情報に基づき画像形成条件を更新する。
【００３３】
以上、本実施形態では、材質変更により画像形成条件を変更しなければならないカートリッジ９の記憶デバイス６にのみ補正条件を設定する。これにより、記憶デバイス６の容量を節約しつつ、適切な画像形成条件を設定できる。
【００３４】
＜第四実施形態＞
第一実施形態において、カートリッジ制御部１０５は、カートリッジの各部材を独立して制御することを想定していた。つまり、例えば、帯電ローラ２ａ〜２ｄが出力する帯電バイアスを個別に制御できることを想定していた。この場合、ある帯電ローラ２の材質が変更されても、他の帯電ローラ２の材質が変更されているか否かに関係なく、当該帯電ローラ２に対する画像形成条件を個別に設定できる。しかしながら、例えば、カートリッジ９ａ〜９ｃの帯電ローラ２ａ〜２ｃに帯電バイアスを供給する電源を共通とする構成も考えられる。以下では、少なくとも２つの異なる色の画像を感光体１に形成する処理及び中間転写ベルト８０に転写する処理のなかの１つの画像形成条件を色毎に変化させることができず、共通となる場合であっても適切な画像形成条件を設定するための構成について説明する。
【００３５】
図９は、本実施形態による画像形成装置の制御構成図である。なお、図２に示す第一実施形態の制御構成と同様の構成要素については同じ参照符号を付与してその説明は省略する。本実施形態においては、帯電ローラ２ａ〜２ｃへは共通の１つの電源部から帯電バイアスを供給し、帯電ローラ２ｄには、他の電源部から帯電バイアスを供給する様に構成されているものとする。したがって、カートリッジ制御部１０５は、帯電ローラ２ａ〜２ｃに共通の帯電バイアスを制御する第１帯電制御部２０１と、帯電ローラ２ｄの帯電バイアスを制御する第２帯電制御部２０２を備えている。
【００３６】
図１０は、本実施形態において、記憶デバイス６ａから６ｃに記録されている情報の説明図である。識別情報は、帯電ローラの材質が変更されているか否かを示す情報であり、識別情報が０であることは変更されていなことを示し、識別情報が１であることは変更されていることを示している。識別情報が１であると、記憶デバイス６の所定領域には、補正情報が格納される。ここで、本実施形態では３つの帯電ローラ２ａ〜２ｃに共通の帯電バイアスが制御対象であるため、記憶デバイス６ａ〜６ｃに格納されている識別情報の値の組み合わせは８通りとなる。ここで、３つの記憶デバイス６の識別情報が総て０であると、本実施形態における制御対象の画像形成条件である帯電バイアスの補正は必要ではないため、補正情報である帯電補正値には７個の補正値が設定される。
【００３７】
本実施形態でも第一実施形態と同様に、記憶デバイス６ａ、６ｂ、６ｃの順で、識別情報の値を並べることで、識別情報の組み合わせ値を表現する。例えば、記憶デバイス６ａ及び６ｂの識別情報が１であり、記憶デバイス６ｃの識別情報が０であると、組み合わせ値は"１１０"になる。図１０の参照符号１００１は、組み合わせ値が"００１"のときに適用する補正値であり、参照符号１００２は、組み合わせ値が"０１０"のときに適用する補正値である。また、参照符号１００６は、組み合わせ値が"１１０"のときに適用する補正値であり、参照符号１００７は、組み合わせ値が"１１１"のときに適用する補正値である。
【００３８】
例えば、記憶デバイス６ａ及び６ｂの識別情報が１であり、記憶デバイス６ｃの識別情報が０であると、組み合わせ値は"１１０"になるため、補正判定部１２０は、帯電バイアスを６Ｖだけ増加させることを第１帯電制御部２０１に通知する。
【００３９】
なお、本実施形態では、制御対象の画像形成条件を帯電ローラ２ａ〜２ｃに共通の帯電バイアス（帯電条件）としたが、本発明はその様な構成に限定されない。複数の部材で共通な画像形成条件は、現像バイアス（現像条件）、一次転写バイアス（一次転写条件）、又は、露光強度（露光条件）であり得る。さらに、共通な画像形成条件とする部材は、イエロー、シアン、マゼンタ、ブラックのトナー像を形成するための同じ部材の任意の組み合わせとすることができる。また、識別情報が材質の変更を示す部材も、共通な画像形成条件とする部材に対応するものに変更される。以上の構成により、異なる色の画像を形成するための同じ各部材のうちの少なくとも２つに対する画像形成条件が共通となる場合であっても適切な画像形成条件を設定することができる。
【００４０】
＜第五実施形態＞
続いて、第五実施形態について、第一乃至第四実施形態との相違点を中心に説明する。第一乃至第四実施形態においては、カートリッジ９a〜９ｄの複数色を備えるカラー画像形成装置を例に説明してきた。しかし、本発明はその様な構成に限定されない。モノカラーの画像形成装置にも適用することができる。
【００４１】
図１１は、本実施形態による画像形成装置の構成図である。図１１の画像形成装置は、画像形成装置の装置本体１１００内に少なくともクリーニングカートリッジ（感光体ユニット）１１０１、露光装置１１２０、現像カートリッジ（現像ユニット）１１０３、転写装置１１０４、定着装置１１０５を備えている。また、クリーニングカートリッジ（感光体ユニット）１１０１と現像カートリッジ（現像ユニット）１１０３は、各々が独立して装置本体１１００から着脱可能となっている。
【００４２】
クリーニングカートリッジ１１０１は、クリーニング枠体１１１４、像担持体である感光ドラム１１１０、帯電部材である帯電ローラ１１１１、クリーニング部材であるクリーニングブレード１１１２、記憶素子１１３７ａを有する。本実施例では、２体のカートリッジであるため、クリーニングカートリッジが有する記憶素子１１３７ａを第１記憶素子とし、後述する現像カートリッジ１１０３の記憶素子１１３７ｂを第２記憶素子とする。
【００４３】
本実施例の現像カートリッジ１１０３は、画像形成に用いられる負帯電性の一成分現像剤１１３０（以下、「トナー」と称す）を有する。そして、現像カートリッジ１１０３は、現像剤担持体である現像ローラ１１３１、現像剤規制部材である現像ブレード１１３２、現像剤担持体へのトナーの供給を行う供給ローラ１１３３、不揮発性メモリなどの記憶素子１１３７ｂを有する。
【００４４】
図１２は、本実施形態において、記憶デバイス１１３７a及び１１３７ｂに記録されている情報の説明図である。識別情報は、トナーや構成部品の材質が変更されているか否かを示す情報である。クリーニングカートリッジ１１０１の場合、識別情報が０であることは、感光体ドラム１１１０の材質が初期のものから変更されていなことを示している。識別情報が１であることは、感光ドラム１１１０の材質が初期のものから変更されていることを示すものとする。また現像カートリッジ１１０３の場合、識別情報が０であることは、現像剤１１３０や現像ローラ１１３１の材質が初期のものから変更されていないことを示している。識別情報が１であることは、現像剤１１３０や現像ローラ１１３１の材質が初期のものから変更されていることを示す。
【００４５】
何れかのカートリッジから１の識別情報が取得されると、記憶デバイス１１３７ａ及び１１３７ｂの所定領域には、補正情報が格納される。本実施形態では、制御対象の画像形成条件が二次転写バイアス及び定着温度であるため、補正情報として、二次転写補正値と、定着補正値がそれぞれ格納される。ここで、本実施形態では２つのカートリッジ１１０１及び１１０３を装着して画像形成を行うため、各記憶デバイス１１３７ａ及び１１３７ｂに格納されている識別情報の値の組み合わせは４通りとなる。このうち、総ての記憶デバイス１１３７ａ及び１１３７ｂの識別情報が０である組み合わせにおいては画像形成条件の補正の必要はないため、二次転写補正値と、定着補正値には、それぞれ、３個の補正値が設定される。
【００４６】
なお、以下の説明において、２つの記憶デバイス１１３７ａ〜１１３７ｂに格納されている識別情報の値の組み合わせを、記憶デバイス１１３７ａ、１１３７ｂの順で、識別情報の値を並べた組み合わせ値で表現する。例えば、記憶デバイス１１３７ａの識別情報が１であり、記憶デバイス１１３７ｂの識別情報が０であると、組み合わせ値は"１０"である。
【００４７】
二次定着補正値に関し、図１２の参照符号１２０１は、組み合わせ値が"０１"のときに適用する補正値であり、参照符号１２０２は、組み合わせ値が"１０"のときに適用する補正値である。また、参照符号１２０３は、組み合わせ値が"１１"のときに適用する補正値である。定着補正値に関しても同様であり、図３の参照符号１２０４は、組み合わせ値が"０１"のときに適用する補正値であり、参照符号１２０５は、組み合わせ値が"１０"のときに適用する補正値である。また、参照符号１２０６は、組み合わせ値が"１１"のときに適用する補正値である。
【００４８】
例えば、記憶デバイス１１３７ａ及び１１３７ｂの識別情報が共に１であると、組み合わせ値は、"１１"になる。この場合、補正判定部１２０は、二次転写バイアスを基準値から５Ｖだけ増加させることを二次転写制御部１１３に通知し、定着温度を基準値から６度だけ低くすることを定着制御部１１４に通知する。なお、二次転写バイアスの基準値や、定着温度の基準値は、例えば、予め画像形成装置に設定されている。或いは、二次転写バイアスの基準値や、定着温度の基準値は、予め画像形成装置に設定されたパラメータに基づき、画像形成装置が、そのときの環境状態等に基づき計算により求める。また、補正判定部１２０の詳細な処理を表すフローチャートについては、図４で説明したフローチャートと同様なので、ここでの詳しい説明を省略する。
【００４９】
以上の各実施形態の開示によれば、バージョンの異なるカートリッジが混在して装着されていても適切な画像形成条件を設定することができる。
【００５０】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５１】
９：カートリッジ、１２０：補正判定部
【図１】
2018205697.tif 000003
【図２】
2018205697.tif 000004
【図３】
2018205697.tif 000005
【図４】
2018205697.tif 000006
【図５】
2018205697.tif 000007
【図６】
2018205697.tif 000008
【図７】
2018205697.tif 000009
【図８】
2018205697.tif 000010
【図９】
2018205697.tif 000011
【図１０】
2018205697.tif 000012
【図１１】
2018205697.tif 000013
【図１２】
2018205697.tif 000014